(57)【特許請求の範囲】
【請求項１】
ロックケーシング（２００，２００’）と錠シリンダーユニット（４００，４００’）と止め棒（２４，２４’）と錠手段（５０，４４’）とからなる南京錠であって、
前記ロックケーシング（２００，２００’）は、
長尺部と該長尺部の両端から同一の方向に直立延伸した一対の突立部とからなる略Ｕ字形であって、前記一対の突立部それぞれに互い背にしている第１の端面（２３，２３’）と第２の端面（３８，３８’）を有し、且つ、
前記略Ｕ字形の長尺部の前記第１の端面（２３，２３’）よりの部分にあって、その内部には、前記第１の端面（２３，２３’）から前記第２の端面（３８，３８’）へと前記長尺部の長手方向に沿って延伸した錠シリンダー収容室（２１，２１’）が形成してある錠シリンダー装着部（２１０，２１０’）と、
前記略Ｕ字形の長尺部の前記第２の端面（３８，３８’）よりの部分にあって、その内部には、前記第２の端面（３８，３８’）から前記第１の端面（２３，２３’）へと前記長尺部の長手方向に沿って延伸して前記錠シリンダー収容室（２１，２１’）と連通した錠プラグ収容室（３１，３１’）が形成してある錠プラグ装着部（３１０，３１０’）と、
前記略Ｕ字形の一対の突立部の前記第１の端面（２３，２３’）を有する突立部（以下第１の突立部と称す）にあって、前記錠シリンダー装着部（２１０，２１０’）と連結し、しかも、その上には、前記長尺部の長手方向と平行し、且つ、少なくとも前記第２の端面（３８，３８’）を有する突立部（以下第２の突立部と称す）へ開孔した第１の止め穴（２５１，２５１’）が形成してある第１の止め部（２５，２５’）と、
前記第２の突立部にあって、前記錠プラグ装着部（３１０，３１０’）と連結し、その上には、前記長尺部の長手方向と平行し、且つ、前記第１の止め穴（２５１，２５１’）と照準するように開設した第２の止め穴（３５，３５’）と、前記第２の突立部の直立延伸方向に沿って前記第２の止め穴（３５，３５’）と前記錠プラグ収容室（３１，３１’）とを連通した滑りチャンネル（３６，３６’）とが形成してなる第２の止め部（３４，３４’）とを備えてなり、
前記錠シリンダーユニット（４００，４００’）は、
前記長尺部の長手方向に沿って、前記第１の端面（２３，２３’）よりの端部と前記錠プラグ収容室（３１，３１’）よりの端部（４３１，４３１’）とがあるように前記錠シリンダー収容室（２１，２１’）に設置され、且つ、その上に、前記第１の端面（２３，２３’）よりの端部に開孔して前記長手方向に沿ってその内部へ延伸した鍵穴（４３０，４３０’）が形成してあり、前記鍵穴（４３０，４３０’）に対応の鍵が挿し込んで回転されると前記錠シリンダー収容室（２１，２１’）内に回転されることができるように構成された錠シリンダー（４３，４３’）と、
前記錠シリンダー（４３，４３’）の前記錠プラグ収容室（３１，３１’）よりの端部（４３１，４３１’）から延伸して前記錠プラグ収容室（３１，３１’）内に入っており、前記対応の鍵が前記鍵穴（４３０，４３０’）を介して錠シリンダー（４３，４３’）に挿し込んで回転されると施錠位置と解錠位置との間に回動されることができるように構成された錠プラグ（４０，４２’）とからなり、
前記止め棒（２４，２４’）は、第１の頭部（２４１，２４１’）と第２の頭部（２４３，２４３’）との２頭部を有し、前記第１の止め穴（２５１，２５１’）と前記第２の止め穴（３５，３５’）との２止め穴の一つを貫通して移動し、前記２頭部の一つを先頭に他の止め穴内に進出することができるように構成され、
そして、前記錠手段（５０，４４’）は、
前記錠プラグ（４０，４２’）に当接され、該錠プラグ（４０，４２’）の回動に作動されて前記錠プラグ収容室（３１，３１’）内に前記第２の突立部の直立延伸方向に摺動することができるように設けられており、且つ、一部が前記滑りチャンネル（３６，３６’）内に入るように前記第２の突立部の直立延伸方向に延伸した第１の部分（５１，４４５’）と、前記第１の部分（５１，４４５’）と連結して前記錠プラグ収容室（３１，３１’）内に存在している第２の部分（５２，４４１’）とを有し、
しかも、前記錠プラグ（４０，４２’）が前記施錠位置へ回動されると、前記錠手段（５０，４４’）は前記錠プラグ（４０，４２’）から受ける負荷により動かされて前記第２の止め部（３４，３４’）へ移動し、前記第１の部分（５１，４４５’）を前記第２の止め穴（３５，３５’）に入るように突出させて前記止め棒（２４，２４’）を係止し、また、前記錠プラグ（４０，４２’）が前記解錠位置へ回動されると、前記錠手段（５０，４４’）は前記錠プラグ（４０，４２’）から受ける負荷により動かされて前記第２の止め部（３４，３４’）から離間し、前記錠手段（５０，４４’）の第１の部分（５１，４４５’）を前記滑りチャンネル（３６，３６’）内に引き戻し、前記第１の部分（５１，４４５’）の前記止め棒（２４，２４’）に対する係止を解除するように構成されており、
且つ、前記錠プラグ（４０，４２’）の回動位置に関わりなく前記錠手段（５０，４４’）を前記第２の突立部の直立延伸方向に付勢するばねが設けられていないことを特徴とする南京錠。
【請求項２】
前記錠手段（５０）の第１の部分（５１）は、前記錠プラグ収容室（３１）内に存在しており、且つ、該錠プラグ収容室内に前記直立延伸方向に摺動する第１の当接作動部（５１５）と、前記滑りチャンネル（３６）に入るように前記第１の当接作動部（５１５）から突出した係止部（５１１）と、前記第１の当接作動部（５１５）から前記係止部（５１１）の反対方向に突起した第１の連結部（５１２）とを備えており、
前記錠手段（５０）の第２の部分（５２）は、前記錠プラグ収容室（３１）内の前記直立延伸方向において前記第１の当接作動部（５１５）と距離を開けて該第１の当接作動部（５１５）と共に摺動することができるように設けられた第２の当接作動部（５２１）と、前記第２の当接作動部（５２１）から前記直立延伸方向に突起し、前記第１の連結部（５１２）と着脱可能に連結された第２の連結部（５２２）とを備えており、また、
前記錠手段（５０）は、前記第１の当接作動部（５１５）と第２の当接作動部（５２１）とで前記錠プラグ（４０）を収容する錠プラグ収容空間（５３）を形成しており、
且つ、前記錠プラグ（４０）が前記施錠位置へ回動されると、前記錠手段（５０）の前記第１の部分（５１）の前記第１の当接作動部（５１５）を押動して前記錠手段（５０）の全体を前記第２の止め部（３４）の方向へ移動させ、前記第１の部分（５１）の前記係止部（５１１）を前記第２の止め穴（３５）に入るように突出させて前記止め棒（２４）を係止し、また、前記錠プラグ（４０）が前記解錠位置へ回動されると、前記錠手段（５０）の前記第２の部分（５２）の前記第２の当接作動部（５２１）を押動して前記錠手段（５０）の全体を前記第２の止め部（３４）から離間させ、前記錠手段（５０）第１の部分（５１）の前記係止部（５１１）を前記滑りチャンネル（３６）内に引き戻し、前記第１の部分（５１）の前記止め棒（２４）に対する係止を解除することができるように構成されたことを特徴とする請求項１に記載の南京錠。
【請求項３】
前記錠プラグ（４０）は、
前記錠シリンダー（４３）の前記錠プラグ収容室（３１）よりの端部（４３１）と接続すると共に、前記錠シリンダー（４３）の回動に伴って、前記直立延伸方向に指向する施錠位置と該施錠位置から離間する解錠位置との間に回動することができるように設けられ、また、その内部に、施錠時において前記直立延伸方向に延伸開口した摺動穴（４１０）が形成してある錠プラグ本体（４１）と、
前記錠プラグ本体（４１）の前記摺動穴（４１０）内に摺動自在に設けられているばね付きロックピン（４２）とからなり、
且つ、前記錠プラグ（４０）が前記施錠位置へ回動されると、前記ばね付きロックピン（４２）は付勢されて前記錠プラグ本体（４１）の前記摺動穴（４１０）から突出し、前記錠手段（５０）の前記第１の当接作動部（５１５）に当接して前記錠手段（５０）の全体を押動することができるように構成されたことを特徴とする請求項２に記載の南京錠。
【請求項４】
前記錠プラグ本体（４１）は、前記錠プラグ（４０）が前記施錠位置から前記解錠位置へ回動されると、前記錠手段（５０）の前記第２の部分（５２）の前記第２の当接作動部（５２１）に当接して押動し、前記錠手段（５０）の全体を前記第２の止め部（３４）から離間させ、前記錠手段（５０）の第１の部分（５１）の前記係止部（５１１）の前記止め棒（２４）に対する係止を解除するカム面（４１２）を更に有することを特徴とする請求項３に記載の南京錠。
【請求項５】
前記ロックケーシング（２００）の前記錠プラグ装着部（３１０）には、
前記錠プラグ収容室（３１）と前記錠シリンダー収容室（２１）との境において、前記錠プラグ（４０）が前記解錠位置に置かれている際、前記錠プラグ（４０）の前記ばね付きロックピン（４２）を、前記錠プラグ収容室（３１）から錠シリンダー収容室（２１）へ脱出できないように制限する規制部（３３）が突起形成され、
また、前記錠プラグ収容室（３１）に通孔（３１３）が形成され、これにより、前記錠プラグ収容室（３１）の外部から前記通孔（３１３）を貫通させてピン（１００）を挿入し、前記解錠位置にある前記ばね付きロックピン（４２）を前記ばね付きロックピン（４２）のばねに抗して前記制限部（３３）を超えることができる程度に前記摺動穴（４１０）内に押し込むことが可能となっており、
且つ、前記錠プラグ収容室（３１）と前記錠シリンダー収容室（２１）とは、前記ばね付きロックピン（４２）が前記制限部（３３）を超えた後に、前記錠プラグ（４０）を前記長手方向に沿って前記錠プラグ収容室（３１）および前記錠シリンダー収容室（２１）を順次通過させながら前記錠シリンダーユニット（４００）全体を前記長手方向に沿って移動させることにより前記錠シリンダーユニット（４００）全体を前記ロックケーシング（２００）から取り外すことができるように構成されていることを特徴とする請求項４に記載の南京錠。
【請求項６】
前記錠プラグ（４２’）は、前記ロックケーシング（２００’）の前記第２の端面（３８’）の方向へ向かっている端面（４２１’）と前記端面（４２１’）の周縁に沿いながらほぼ前記長尺部の前記長手方向に延伸した周面（４２５’）とを備えており、
前記錠手段（４４’）の第１の部分（４４５’）と第２の部分（４４１’）とは、一体になされ、且つ、前記第２の部分（４４１’）は、ピン結合によって前記錠プラグ（４２’）を回転できるように軸支しており、前記第１の部分（４４５’）には、前記第２の突立部の直立延伸方向の反対方向に前記錠プラグ（４２’）の前記周面（４２５’）へ突起した突起部（４４３’）が形成してあり、
また、前記錠プラグ（４２’）の前記周面（４２５’）には、前記錠プラグ（４２’）が前記錠シリンダー（４３’）の回動によって前記施錠位置と前記解錠位置との間に回動される際、前記突起部（４４３’）と当接して該突起部（４４３’）を摺動させ、前記錠手段（４４’）の全体を前記第２の突立部の直立延伸方向に往復動させることができるカム面（４２４’）が形成されたことを特徴とする請求項１に記載の南京錠。
【発明の詳細な説明】
【０００１】
【発明の属する技術分野】
本発明は、南京錠に関し、特に錠シリンダーユニットが取り外されて錠内のばね及び他の部品が差し替えられ、且つ内部のばねが壊れても、解錠が行える南京錠に関する。
【０００２】
【従来の技術】
従来の南京錠の例としては、長尺部と該長尺部の両端から同一の方向に直立延伸した一対の突立部とからなる略Ｕ字形のロックケーシングと、前記ロックケーシングの前記長尺部内に設けられている鍵穴付き錠シリンダーユニットと、前記ロックケーシングの前記一対の突立部のうちの一つを貫通して他の一つに移動して挿入することができる止め棒と、前記錠シリンダーユニットの回動によって前記止め棒へ係止可能に移動することができるばね付き係止手段とからなるものが挙げられる。前記構成の南京錠は、鍵を前記錠シリンダーユニットの鍵穴に挿入してから回動し、前記ばね付き係止手段の前記止め棒への往復動をすることにより、前記止め棒に貫通されて該止め棒と前記一対の突立部との間に置かれた物品に対して施錠または解錠の動作を行うことができる。
【０００３】
上記従来の南京錠は、確かに施錠・解錠の機能を有するが、製作済みのもののすべての部品が分解できない一体になるため、一旦故障があったら、故障した部品、例えば錠シリンダーユニットまたはばね付き係止手段、特にそのばね及び他の移動手段を取り外して交換することができないので、一つのばねだけでも壊れたら、錠の機能が失われ、即ち、錠の全体を廃棄しなければならない上、解錠できなくてなんらかの不都合を生ずる可能性もあるという欠点がある。
【０００４】
【発明の課題】
上記従来の欠点に鑑み、本発明の最後の目的は、錠シリンダーユニット乃至内部の各部品が取り替えられ、且つ係止手段にはばねがなく、または、ばねがあっても、壊れたら、解錠されることができる南京錠を提供しようとする。
【０００５】
【課題を解決するための手段】
前記目的を達成するために、本発明は、まず、従来の施解錠の中核機構であるやや大きな係止手段を２部分に分け、且つ、その１部分を錠プラグとして錠シリンダーユニットと合体させ、他部分を錠手段として前記錠プラグに連動させると共に、止め棒に対する係止を機能させることができるように構成してなる南京錠の構成を提供した。即ち、本発明は、ロックケーシングと錠シリンダーユニットと止め棒と錠手段とからなる南京錠の基本構成を提供した。そして、前記ロックケーシングを、長尺部と該長尺部の両端から同一の方向に直立延伸した一対の突立部とからなる略Ｕ字形であって、前記一対の突立部それぞれに互い背にしている第１の端面と第２の端面を有し、且つ、前記略Ｕ字形の長尺部の前記第１の端面よりの部分にある錠シリンダー装着部と、前記略Ｕ字形の長尺部の前記第２の端面よりの部分にある錠プラグ装着部と、前記略Ｕ字形の一対の突立部の前記第１の端面を有する突立部（以下第１の突立部と称す）にある第１の止め部と、前記略Ｕ字形の一対の突立部の前記第２の端面を有する突立部（以下第２の突立部と称す）にある第２の止め部とを備えるように構成した。また、前記錠シリンダー装着部の内部に、前記第１の端面から前記第２の端面へと前記長尺部の長手方向に沿って延伸した錠シリンダー収容室を形成し、前記錠プラグ装着部の内部に、前記第２の端面から前記第１の端面へと前記長尺部の長手方向に沿って延伸して前記錠シリンダー収容室と連通した錠プラグ収容室を形成した。そして、前記第１の止め部を、前記錠シリンダー装着部と連結し、しかも、その上には、前記長尺部の長手方向と平行し、且つ、少なくとも前記第２の突立部へ開孔した第１の止め穴が形成してあるように構成した。前記第２の止め部を、前記錠プラグ装着部と連結し、その上には、前記長尺部の長手方向と平行し、且つ、前記第１の止め穴と照準するように開設した第２の止め穴と、前記第２の突立部の直立延伸方向に沿って前記第２の止め穴と前記錠プラグ収容室とを連通した滑りチャンネルとが形成してなるように構成した。そして、前記錠シリンダーユニットを、錠シリンダーと錠プラグとからなるように構成した。前記錠シリンダーを、前記長尺部の長手方向に沿って、前記第１の端面よりの端部と前記錠プラグ収容室よりの端部とがあるように前記錠シリンダー収容室に設置され、且つ、その上に、前記第１の端面よりの端部に開孔して前記長手方向に沿ってその内部へ延伸した鍵穴が形成してあり、前記鍵穴に対応の鍵が挿し込んで回転されると前記錠シリンダー収容室内に回転されることができるように構成した。前記錠プラグを、前記錠シリンダーの前記錠プラグ収容室よりの端部から延伸して前記錠プラグ収容室内に入っており、前記相当の鍵が前記鍵穴を介して錠シリンダーに挿し込んで回転されると施錠位置と解錠位置との間に回動されることができるように構成した。また、前記止め棒を、第１の頭部と第２の頭部との２頭部を有し、前記第１の止め穴と前記第２の止め穴との２止め穴の一つを貫通して移動し、前記２頭部の一つを先頭に他の止め穴内に進出することができるように構成した。そして、前記錠手段を、前記錠プラグに当接され、該錠プラグの回動に作動されて前記錠プラグ収容室内に前記第２の突立部の直立延伸方向に摺動することができるように設けられており、且つ、一部が前記滑りチャンネル内に入るように前記第２の突立部の直立延伸方向に延伸した第１の部分と、前記第１の部分と連結して前記錠プラグ収容室内に存在している第２の部分とを有するように構成した。しかも、前記全構成を、前記錠プラグが前記施錠位置へ回動されると、前記錠手段は前記錠プラグに作動されて前記第２の止め部へ移動し、前記第１の部分を前記第２の止め穴に入るように突出させて前記止め棒を係止し、また、前記錠プラグが前記解錠位置へ回動されると、前記錠手段は前記錠プラグに作動されて前記第２の止め部から離間し、前記錠手段の第１の部分を前記滑りチャンネル内に引き戻し、前記第１の部分の前記止め棒に対する係止を解除するように構成した。前記のように構成した新規な南京錠は、錠として使用されることができるのみならず、前記従来の係止手段の１部分にあたる錠プラグを錠シリンダーユニット全体と共に取り外すことができるように構成され、更にも、係止手段にばねがなく、または、ばねがあっても、壊れたら、解錠されることができるように構成されることが容易である。
【０００６】
【発明の実施例】
以下、本発明の好ましい実施形態を詳しく説明する。なお、以下の説明においては、そのサイズに拘わらず、略同一の機能及び構成を有する構成要素については、同一符号を付し、重複説明は必要な場合にのみ行う。
【０００７】
図１〜図３に示されているのは本発明の南京錠の第１の実施例である。この実施例の南京錠は、ロックケーシング２００と錠シリンダーユニット４００と止め棒２４と錠手段５０とからなる。前記ロックケーシング２００は、第１のケーシング部２０と第２のケーシング部３０とを、長尺部と該長尺部の両端から同一の方向に直立延伸した一対の突立部とからなる略Ｕ字形のように組み合わせてから溶接固定してなる。また、前記第１のケーシング部２０と前記第２のケーシング部３０とは、前記略Ｕ字形の一対の突立部の互い背にしているところに、それぞれに第１の端面２３と第２の端面３８とを有する。
【０００８】
前記第１のケーシング部２０は、錠シリンダー装着部２１０と第１の止め部２５とからなる。前記錠シリンダー装着部２１０は、前記略Ｕ字形の長尺部の前記第１の端面２３よりの部分にあって、且つその内部には、前記第１の端面２３から前記第２の端面３８へと前記長尺部の長手方向に沿って延伸した錠シリンダー収容室２１が形成してある。前記第１の止め部２５は、前記略Ｕ字形の一対の突立部の前記第１の端面２３を有する突立部（以下第１の突立部と称す）にあって、前記錠シリンダー装着部２１０と一体になり、且つ、その上には、前記長尺部の長手方向と平行し、且つ、前記第２の端面３８を有する突立部（以下第２の突立部と称す）へ開孔した第１の止め穴２５１が形成してある。また、該第１の止め穴２５１の底よりの部分には、弾性手段としてのばね２５２が設けられている。
【０００９】
前記第２のケーシング部３０は、前記略Ｕ字形の長尺部の前記第２の端面３８よりの部分にある錠プラグ装着部３１０と前記第２の突立部にある第２の止め部３４とからなる。前記錠プラグ装着部３１０の内部には、前記第２の端面３８から前記第１の端面２３へと前記長尺部の長手方向に沿って延伸して前記錠シリンダー収容室２１と連通した錠プラグ収容室３１が形成してある。該錠プラグ収容室３１内には、前記第２の突立部の直立延伸線を隣とし、凹カーヴをなして延伸した滑動面３２が形成してある。この滑動面３２は、施解錠時において回動される下記錠プラグ４０のばね付きロックピン４２の先端の摺動面である。前記錠プラグ収容室３１内のこの滑動面３２には、前記錠プラグ装着部３１０のこの滑動面３２と対応する外面から通孔３１３が貫通してあり、前記錠プラグ収容室３１の内の前記第２の端面３８の内部対応面に前記滑動面３２との境から突起し、前記直立延伸方向に沿う案内レール３７が形成してある。また、前記錠プラグ収容室３１と前記錠シリンダー室２１との境においては、その底面が前記錠プラグ収容室３１の底面より高い第１の規制部３３が突起形成してある。前記第１の規制部３３のほぼ中央位置の面上に前記錠プラグ収容室３１から前記錠シリンダー室２１へ延伸した出入り口３１２があけてあるが、この出入り口３１２の底面はやはり前記錠プラグ収容室３１の底面よりやや高くなっている。そして、前記第２の止め部３４は、前記錠プラグ装着部３１０と連結してなり、且つその上には、前記長尺部の長手方向と平行し、且つ、前記第１の止め穴２５１と照準するように貫通した第２の止め穴３５と、前記第２の突立部の直立延伸方向に沿って前記第２の止め穴３５と前記錠プラグ収容室３１とを連通した滑りチャンネル３６とが形成してある。また、前記第２の止め穴３５の前記第１の止め穴２５１よりの部分は、前記第２の止め穴３５の内表面から外へ延伸した第２の規制部３５１が形成してある。
【００１０】
また、前記錠シリンダーユニット４００は、主として、錠シリンダー４３と錠プラグ４０とからなる。前記錠シリンダー４３は、前記長尺部の長手方向に沿って、前記第１の端面２３よりの端部と前記錠プラグ収容室３１よりの端部４３１とがあるように前記錠シリンダー収容室２１内に設置され、且つ、その上に、前記第１の端面２３よりの端部に開孔して前記長手方向に沿ってその内部へ延伸した鍵穴４３０が形成してあり、前記鍵穴４３０に対応の鍵が挿し込んで回転されると前記錠シリンダー収容室２１内に回転されることができるように構成された。前記錠プラグ４０は、前記錠シリンダー４３の前記錠プラグ収容室３１よりの端部４３１から延伸して前記錠プラグ収容室３１内に入っており、前記鍵が前記鍵穴４３０を経由して前記錠シリンダー４３内に挿し込んで回転されると施錠位置と解錠位置との間に回動されることができるように構成された。もっと詳しく説明すると、前記錠プラグ４０は、錠プラグ本体４１とばね付きロックピン４２とからなる。前記錠プラグ本体４１は、前記錠シリンダー４３の前記錠プラグ収容室３１よりの端部４３１と接続すると共に、前記錠シリンダー４３の回動に伴って、前記直立延伸方向に指向する施錠位置と該施錠位置から離間する解錠位置との間に回動することができるように設けられている。また、前記錠プラグ本体４１の内部には、施錠時において前記直立延伸方向に延伸開口した摺動穴４１０が形成してある。前記ばね付きロックピン４２は、前記錠プラグ本体４１の前記摺動穴４１０内に、そのピンの頭部が該摺動穴の開孔を出没自在に設けられている。即ち、前記錠プラグ４０は前記錠シリンダー４３の回動に伴って施解錠の間に回動されると、前記ばね付きロックピン４２はその先端が前記滑動面３２に当接して出没しながら摺動することができる。また、前記錠プラグ本体４１の施錠時の前記直立延伸方向の反対方向にある面に、カム面４１２が形成してある。このカム面４１２は、解錠時において、下記錠手段５０の第２の部分５２における第２の当接作動部５２１に当接しながら錠手段全体を前記第２の突立部分の直立延伸方向の反対方向へ押動することができるように構成された。
【００１１】
そして、前記止め棒２４は、第１の頭部２４１と第２の頭部２４３との２頭部を有し、前記第２の止め穴３５を貫通しており、且つ、前記第１の頭部２４１を先頭に前記第１の止め穴２５１内に進出移動することができるように構成されているが、前記第１の頭部２４１の直徑が前記止め棒２４の本体の直徑よりやや大であるので、前記止め棒２４の表面の本体と前記第１の頭部２４１との境に第３の規制部２４２としての階段部が形成してあり、この第３の規制部２４２と前記第２の止め穴３５の前記第２の規制部３５１との間の係止により、前記止め棒２４の前記第２の止め穴３５からの脱出を避けることができる。また、前記第２の頭部２４３には、下記錠手段５０による施錠のための係止溝２４４が形成してある。
【００１２】
前記錠手段５０は、前記錠プラグ４０に当接され、該錠プラグ４０の回動に作動されて前記錠プラグ収容室３１内に前記案内レール３７に案内されながら、前記第２の突立部の直立延伸方向に往復に摺動することができるように設けられている。この錠手段５０は、一部が前記滑りチャンネル３６内に入るように前記第２の突立部の直立延伸方向に延伸した第１の部分５１と、前記第１の部分５１と連結して前記錠プラグ収容室３１内に存在している第２の部分５２とを有する。前記第１の部分５１は、前記錠プラグ収容室３１内に存在しており、且つ、該錠プラグ収容室３１内に前記直立延伸方向に往復に摺動する第１の当接作動部５１５と、前記滑りチャンネル３６に入るように前記第１の当接作動部５１５の前記第１の端面２３よりの端縁から突出した係止部５１１と、前記第１の当接作動部５１５の他端縁から前記係止部５１１の反対方向に突起し、且つ、前記案内レール３７上に置かれていてそれに案内されて前記直立延伸方向に往復に摺動することができるように設けられている第１の連結部５１２とを備えてなる。前記第２の部分５２は、前記錠プラグ収容室３１内の前記直立延伸方向において前記第１の当接作動部５１５と距離を開けて対面し、該第１の当接作動部５１５と共に摺動するために設けられた第２の当接作動部５２１と、前記第２の当接作動部５２１の前記第１の部分５１の第１の連結部５１２よりの端縁から前記直立延伸方向に突起し、その前記第２の当接作動部よりの部分が前記案内レール３７上に置かれていて、自由端縁よりの部分が前記第２の当接作動部よりの部分よりやや薄くて前記第１の連結部５１２と面結合して着脱可能に連結された第２の連結部５２２とを備えてなる。また、前記錠手段５０は、前記第１の当接作動部５１５と第２の当接作動部５２１とで前記錠プラグ４０を収容することができる錠プラグ収容空間５３を形成している。
【００１３】
それにより、図２及び図３に示すように、前記錠プラグ４０が前記錠シリンダー４３の回動に伴って前記施錠位置へ回動されると、前記錠プラグ４０の前記ばね付きロックピン４２はその先端を介して前記滑動面３２に摺動しながらそのばねの付勢力によって前記錠プラグ本体４１の前記摺動穴４１０から段々突出し、前記錠手段５０の前記第１の部分５１の前記第１の当接作動部５１５を押動して前記錠手段５０の全体を前記第２の止め部３４の方向へ移動させ、前記第１の部分５１の前記係止部５１１の先端を前記第２の止め穴３５に入るように突出させて前記止め棒２４の前記係止溝２４４を係止することができる。また、図４及び図５に示すように、前記錠プラグ４０が前記錠シリンダー４３の回動に伴って前記解錠位置へ回動されると、前記錠プラグ４０は、前記ばね付きロックピン４２の先端を前記滑動面３２に摺動させながら、ばねの付勢力に対抗して段々と前記錠プラグ本体４１の前記摺動穴４１０内に没入させると同時に、前記錠プラグ本体４１の前記カム面４１２によって前記錠手段５０の前記第２の部分５２の前記第２の当接作動部５２１に当接しながら押動し、前記錠手段５０の全体を前記止め棒２４の前記係止溝２４４から離間させ、前記錠手段５０の第１の部分５１の前記係止部５１１を前記滑りチャンネル３６内に引き戻し、前記第１の部分５１の前記止め棒２４に対する係止を解除することができる。一旦、前記のように、前記係止部５１１の前記止め棒２４に対する係止が解除されると、前記止め棒２４の前記第１の頭部２４１は、前記第１の止め穴２５１内に設けられている前記弾性手段２５２の弾力により前記第１の止め穴２５１から前記第２の止め穴３５の方向へ跳ねだされることができるので、前記止め棒２４を前記第１の頭部２４１の前記第３の規制部２４２が前記第２の止め穴３５の前記第２の規制部３５１と係止するまで引き出して解錠することができる。
【００１４】
そして、図５及び図６に示すように、前記解錠位置は丁度前記施錠位置と垂直する位置にある。即ち、前記錠プラグ４０が前記解錠位置に回動された場合、前記通孔３１３は丁度前記錠プラグ４０の前記ばね付きロックピン４２の先端と対応する位置にあり、且つ、前記ばね付きロックピン４２はその先端が丁度前記第１の規制部３３に制限されているので、前記錠プラグ収容室３１から前記錠シリンダー収容室２１へ脱出できない状態にある。このとき、道具として、細長いもの、例えばピン１００をもって前記錠プラグ収容室３１の外部から前記通孔３１３を通し、ばねに対抗して前記錠プラグ収容室３１内の前記ばね付きロックピン４２を前記規制部３３を超えることができる位置まで前記摺動穴４１０内に没入させた後、前記錠プラグ４０を前記錠シリンダーユニット４００全体と共に前記長手方向に沿って前記錠プラグ収容室３１と前記錠シリンダー収容室２１とから順次に取り外すことができる。また、前記ばね付きロックピン４２のばねが壊れても、前記凹カーヴの滑動面３２が設けてあるので、やはり解錠が行える。
【００１５】
図７〜図９に示されているのは、本発明の南京錠の第２の実施例である。この実施例の南京錠は、前記第１の実施例と同様に、ロックケーシング２００’と錠シリンダーユニット４００’と止め棒２４’と錠手段４４’とからなる。前記各部品の相関位置及び作用は前記第１の実施例に既に説明したので、ここでその詳説に代えて以下のように略述する。前記ロックケーシング２００’は、第１のケーシング部２０’と第２のケーシング部３０’とを、長尺部と該長尺部の両端から同一の方向に直立延伸した一対の突立部とからなる略Ｕ字形のように組み合わせてから溶接固定してなる。前記第１のケーシング部２０’と前記第２のケーシング部３０’とは、前記略Ｕ字形の一対の突立部の互い背にしているところに、それぞれに第１の端面２３’と第２の端面３８’とを有する。前記第１のケーシング部２０’は、錠シリンダー収容室２１’が形成してある錠シリンダー装着部２１０’と、前記錠シリンダー装着部２１０’と一体になり、且つ、その上には、前記第２の端面３８’の方向へ開孔した第１の止め穴２５１’が形成してある第１の止め部２５’とからなる。また、該第１の止め穴２５１’の底よりの部分には、弾性手段としてのばね２５２’が設けられている。
【００１６】
前記第２のケーシング部３０’は、前記錠シリンダー収容室２１’と連通した錠プラグ収容室３１’が形成してある錠プラグ装着部３１０’と、前記錠プラグ装着部３１０’と連結し、且つその上には、前記第１の止め穴２５１’と照準するように貫通した第２の止め穴３５’及び前記第２の止め穴３５’と前記錠プラグ収容室３１’とを連通した滑りチャンネル３６’が形成してなる第２の止め部３４’とからなる。また、前記第２の止め穴３５’の前記第１の止め穴２５１’よりの部分は、前記第２の止め穴３５’の内表面から外へ延伸した規制部３５１’が形成してある。
【００１７】
また、前記錠シリンダーユニット４００’は、主として、錠シリンダー４３’と錠プラグ４２’とからなる。前記錠シリンダー４３’は、前記錠シリンダー収容室２１’に設置され、且つ、その上に、鍵穴４３０’が形成してあり、前記鍵穴４３０’に対応の鍵が挿し込んで回転されると前記錠シリンダー収容室２１’内に回転されることができるように構成された。前記錠プラグ４２’は、前記錠シリンダー４３’の前記錠プラグ収容室３１’よりの端部４３１’から延伸して前記錠プラグ収容室３１’内に入っており、前記相当の鍵が前記鍵穴４３０’を経由して前記錠シリンダー４３’内に挿し込んで回転されると施錠位置と解錠位置との間に回動されることができるように構成された。もっと詳しく説明すると、前記錠プラグ４２’は、前記第２のケーシング部３０’の前記第２の端面３８’の方向へ向かっている端面４２１’と、前記端面４２１’の周縁に沿いながらほぼ前記長尺部の長手方向に延伸した周面４２５’とを備えている。また、前記錠プラグ４２’の前記周面４２５’には、前記錠プラグ４２’が前記錠シリンダー４３’の回動によって前記施錠位置と前記解錠位置との間に回動される際、以下の突起部４４３’と当接して該突起部４４３’を摺動させ、以下の錠手段４４’の全体を前記第２の突立部の直立延伸方向に往復動させることができるカム面４２４’を有する作動溝が形成してある。
【００１８】
そして、前記錠手段４４’は、一部が前記滑りチャンネル３６’内に入るように延伸した第１の部分４４５’と、前記第１の部分４４５’と一体になされ、前記錠プラグ収容室３１’内に存在している第２の部分４４１’とを有する。また、前記第２の部分４４１’は、ピン結合によって前記錠プラグ４２’を回転できるように軸支されており、前記第１の部分４４５’には、前記第２の突立部の直立延伸方向に前記錠プラグ４２’の前記周面４２５’へ前記カム面４２４’と当接摺るように突起した突起部４４３’が形成してある。それにより、前記錠プラグ４２’が前記錠シリンダー４３’の回動によって前記施錠位置と前記解錠位置との間に回動される際、前記錠プラグ４２’の前記周面４２５’の前記カム面４２４’は前記突起部４４３’と当接しながら該突起部４４３’をカム面上（前記作動溝内）に摺動させることにより、前記錠手段４４’の全体を前記第２の止め部３４’内へ往復動させることができる。
【００１９】
そして、前記止め棒２４’は、第１の頭部２４１’と第２の頭部２４３’との２頭部を有し、前記第２の止め穴３５’を貫通しており、且つ前記第１の頭部２４１’を先頭に前記第１の止め穴２５１’内に進出移動することができるように構成されているが、前記第１の頭部２４１’に規制手段３５２’が設けられているので、前記規制手段３５２’と前記第２の止め穴３５’の前記規制部３５１’の係止により、前記止め棒２４’の前記第２の止め穴３５’の脱出を避けることができる。なお、前記第１の止め穴２５１’と前記錠シリンダー収容室２１’との間には、前記錠シリンダー収容室２１’と連通した係止手段収容室２６２’が形成してある。該係止手段収容室２６２’には、前記錠シリンダー４３’を前記ロックケーシング２００’から脱出できないように係止するためのばね付き係止手段２６’が収容してある。また、前記係止手段収容室２６２’の近くには、外面から前記係止手段収容室２６２’の内部に貫通した通孔２３１’が形成してある。ここで、該通孔２３１’の開口は前記第２の止め部３４’に向かっているので、施錠する物品が前記止め棒２４’に貫通されて前記第１の止め部２５’と前記第２の止め部３４’との間に置かれてから、該通孔２３１’の開口を隠すことができる。
【００２０】
それにより、図７及び図１０に示すように、前記錠プラグ４２’が前記錠シリンダー４３’の回動に伴って前記施錠位置へ回動されると、前記錠手段４４’を押動して前記第２の止め部３４’の方向へ移動させ、前記錠手段４４’の前記第１の部分４４５’を前記第２の止め穴３５に入るように突出させて前記止め棒２４’を係止することができる。また、図１１に示すように、前記錠プラグ４２’が前記錠シリンダー４３’の回動に伴って前記解錠位置へ回動されると、前記錠手段４４’を押動し、前記錠手段４４’の全体を前記止め棒２４’から離間させ、前記錠手段４４’の第１の部分４４５’を前記滑りチャンネル３６’内に引き戻し、前記第１の部分４４５’の前記止め棒２４’に対する係止を解除することができる。一旦、前記のように、前記第１の部分４４５’の前記止め棒２４’に対する係止が解除されると、前記止め棒２４’の前記第１の頭部２４１’は、前記第１の止め穴２５１’内に設けられている前記弾性手段２５２’の弾力により前記第１の止め穴２５１’から前記第２の止め穴３５’の方向へ跳ねだされることができるので、前記止め棒２４’前記第１の頭部２４１’の前記規制手段３５２’が前記第２の止め穴３５’の前記第２の規制部３５１’と係止するまで引き出して解錠することができる。即ち、この実施例は、ばねを使用せずに、施解錠をすることができる実施形態である。
【００２１】
そして、前記解錠位置は丁度前記施錠位置と垂直する位置にあり、即ち、前記錠プラグ４２’が前記解錠位置に回動された場合、前記錠シリンダー４３’が前記ばね付き係止手段２６’により制限されているので、前記ロックケーシング２００’から外面へ脱出できない状態にある。このとき、道具として、細長いもの、例えばピンをもって前記通孔２３１’を通し、前記係止手段収容室２６２’の内部に貫通し、前記ばね付き係止手段２６’のばねに抗して前記ばね付き係止手段２６’の前記解錠位置にある前記錠シリンダー４３’に対する係止を解除した後、前記錠シリンダーユニット４００’全体を前記長手方向に沿って前記ロックケーシング２００’から取り外すことができる。
【００２２】
以上説明した実施の形態は、あくまでも本発明の技術的内容を明らかにする意図のものにおいてなされたものであり、本発明はそうした具体例に限定して狭義に解釈されるものではなく、本発明の精神とクレームに述べられた範囲で、いろいろと変更して実施できるものである。
【００２３】
【発明の効果】
本発明の南京錠は、錠シリンダーユニット乃至内部の各部品が取り替えられるのみならず、係止の動作にはばねがなく、または、ばねがあっても、壊れたら、解錠されることができる効果がある。
【図面の簡単な説明】
【図１】本発明の南京錠の第１の実施例の一部分解斜視図
【図２】施錠状態下に前記第１の実施例の断面図
【図３】図２のＩＩＩ−ＩＩＩ線の断面図
【図４】解錠状態下に前記第１の実施例の断面図
【図５】図４のＶ−Ｖ線の断面図
【図６】解錠状態下にロックケーシング内から錠シリンダーユニットを取り出すステップの断面説明図
【図７】本発明の南京錠の第２の実施例の断面図
【図８】図７のＶＩＩＩ−ＶＩＩＩ線の断面図
【図９】前記第２の実施例において錠手段と錠プラグとの構成の斜視図
【図１０】施錠状態下に前記第２の実施例において錠手段と錠プラグとの構成の上面図
【図１１】解錠状態下に前記第２の実施例において錠手段と錠プラグとの構成の上面図
【符号の説明】
２１，２１’  錠シリンダー収容室
２３，２３’  第１の端面
２４，２４’  止め棒
２５，２５’  第１の止め部
３１，３１’  錠プラグ収容室
３３  規制部
３４，３４’  第２の止め部
３５，３５’  第２の止め穴
３６，３６’  滑りチャンネル
３８，３８’  第２の端面
４０，４２’  錠プラグ
４１  錠プラグ本体
４２  ばね付きロックピン
４３，４３’  錠シリンダー
５０，４４’  錠手段
５１，４４５’  第１の部分
５２，４４１’  第２の部分
５３  錠プラグ収容空間
２００，２００’  ロックケーシング
２１０，２１０’  錠シリンダー装着部
２４１，２４１’  第１の頭部
２４３，２４３’  第２の頭部
２５１，２５１’  第１の止め穴
３１０，３１０’  錠プラグ装着部
３１３  通孔
４００，４００’  錠シリンダーユニット
４１０  摺動穴
４１２  カム面
４３０，４３０’  鍵穴
４３１  端部
５１１  係止部
５１２  第１の連結部
５１５  第１の当接作動部
５２１  第２の当接作動部
５２２  第２の連結部
４２１’  端面
４２４’  カム面
４２５’  周面
４４３’  突起部
【図１】
0003626128.tif 000002
【図２】
0003626128.tif 000003
【図３】
0003626128.tif 000004
【図４】
0003626128.tif 000005
【図５】
0003626128.tif 000006
【図６】
0003626128.tif 000007
【図７】
0003626128.tif 000008
【図８】
0003626128.tif 000009
【図９】
0003626128.tif 000010
【図１０】
0003626128.tif 000011
【図１１】
0003626128.tif 000012